(57)【要約】  【課題】  カードの回収と再発行とをコンパクトな構成のカード処理装置で実現する。  【解決手段】  実質上円弧状の搬送路６の一端に挿入兼排出口８を形成し、搬送路６の内径側にＯリング１０が備えられた回転盤９が配置され、挿入兼排出口８から略１８０度だけ反転した搬送路６の終端部にカード収納部２１が備えられ、搬送路６の中途部にアンテナ部４２が備えられ、カード収納部２１には、収納されたカード５をＯリング１０に向かって押圧付勢可能で且つ収納されたカードの枚数に応じて収納空間を変更可能とするフラッパ２３が備えられ、挿入兼排出口から挿入したカードを回転盤９によりアンテナ部４２まで搬送し、そのカードの処理内容に応じて、カードを回転盤９によりカード収納部２１に向けて搬送する一方、カード収納部２１に収納されたカードをその処理内容に応じて、回転盤９を逆転させて、搬送路６を介して挿入兼排出口８から排出可能に構成した。  【選択図】  図７
2007079682.tif 000002
【特許請求の範囲】
【請求項１】
実質上円弧状の搬送路の一端にカード挿入兼排出口を形成し、前記搬送路の内径側に回転盤を有する搬送手段が配置され、
前記カード挿入兼排出口から適宜角度だけ反転した前記搬送路の終端部にカード収納部が備えられ、
前記搬送路の中途部にカード処理部が備えられ、
前記カード挿入兼排出口から挿入したカードを前記搬送手段により前記カード処理部まで搬送し、前記カード処理部におけるカードの処理内容に応じて、当該カードを前記搬送手段によりカード収納部に向けて搬送するように構成したことを特徴とするカード処理装置。
【請求項２】
前記カード収納部には、前記カードを前記搬送手段に向かって押圧付勢可能で且つ収納されたカードの枚数に応じて収納空間を変更可能とするフラッパを備えたことを特徴とする請求項１に記載のカード処理装置。
【請求項３】
前記搬送手段は、正逆回転する駆動モータにより駆動する回転盤の片面に装着された弾性リング体と、前記搬送路の円周方向に沿って形成された円弧状の突条部とにより前記カードの厚み方向を挟持するように構成されていることを特徴とする請求項１または２に記載のカード処理装置。
【請求項４】
前記カード収納部には、前記カードの有無を検知するためのセンサと、前記フラッパの回動位置とを検知するためのセンサを備えたことを特徴とする請求項２または３記載のカード処理装置。
【請求項５】
実質上円弧状の搬送路の一端にカード挿入兼排出口を形成し、前記搬送路の内径側に回転盤を有する搬送手段が配置され、
前記カード挿入兼排出口から適宜角度だけ反転した前記搬送路の終端部にカード収納部が備えられ、
前記搬送路の中途部にカード処理部が備えられ、
前記カード収納部には、前記収納されたカードを前記搬送手段に向かって押圧付勢可能で且つ収納されたカードの枚数に応じて収納空間を変更可能とするフラッパが備えられ、
前記カード挿入兼排出口から挿入したカードを前記搬送手段により前記カード処理部まで搬送し、前記カード処理部におけるカードの処理内容に応じて、当該カードを前記搬送手段によりカード収納部に向けて搬送する一方、
前記カード収納部に収納されたカードをその処理内容に応じて、前記搬送手段を逆転させて、前記搬送路を介して前記カード挿入兼排出口から前記カードを排出可能に構成したことを特徴とするカード処理装置。
【請求項６】
前記カード挿入兼排出口には、前記搬送路へのカードの挿入を阻止するシャッタを開閉制御可能に設けられていることを特徴とする請求項１ないし５のいずれかに記載のカード処理装置。
【請求項７】
前記カード収納部の一端部には、前記カード挿入兼排出口と実質上平行なカード取り出し口を備えたことを特徴とする請求項１ないし６のいずれかに記載のカード処理装置。
【発明の詳細な説明】
【技術分野】
【０００１】
本発明は、非接触型等のカードや、磁気カード、その他の記録媒体としてのカードに記録されている価値情報を含む所定の情報を読み取り、または情報を書き込む（記録）処理を実行するためのカード処理装置に係り、より詳しくは、価値情報が無くなった（価値情報がゼロの）カードを回収し、再発行可能とする構成に関するものである。
【背景技術】
【０００２】
例えば、パチンコ台等の遊技機器の遊技球を出力するために使用するプリペイド式のカードは、所定の遊技店であることを認識、判別するためのＩＤデータと、前払いして残存する金額データ等が記録されている。その所定の遊技店でのカード処理装置に利用者が前記カードを挿入して、残存する金額を最大値とする適宜の金額分に相当するだけの遊技球と交換可能となっている。
【０００３】
従来のカード処理装置としての特許文献１や特許文献２の構成では、前記カードに記録された全金額を消費してしまうと、通常はそのカードは利用者に返還されることなく、そのカードを再利用するため、カード処理装置における回収箱に取り込んで回収することが行われている。
【特許文献１】特開２０００−１４８９１７号公報（図１及び図２参照）。
【特許文献２】特開２０００−１８７７０８号公報（図１及び図２参照）。
【発明の開示】
【発明が解決しようとする課題】
【０００４】
上記の特許文献１の構成では、カードを搬送する経路は、水平方向に延びる第１搬送路と、この第１搬送路中途部の交差部に対して下向きに延びて下端の回収箱上に至る第２搬送路とからなる側面視Ｔ字状であり、駆動モータは１つであっても、第１搬送路及び第２搬送路にそれぞれ動力伝達する搬送手段を備える必要があること及び動力伝達の切換え手段を備えている。他方、特許文献２の構成では、カード挿入兼排出口から挿入されたカードを搬送する第１搬送路と、この第１搬送路と平行状に配置された第２搬送路と、第１搬送路の終端から排出されたカードをそのカードの面方向と平行に略１８０°反転させて第２搬送路の始端部に搬送する反転搬送手段とを有し、第２搬送路にカード回収箱を設ける一方、第１搬送路及び第２搬送路に対する搬送手段の駆動ローラを駆動するための１つの駆動モータと、反転搬送手段に対する駆動モータとを備えている。
【０００５】
従って、これらの両カード処理装置の構造が複雑となり、且つ部品点数も多くなるからコストが高くなるという問題があった。
【０００６】
特に、特許文献２の構成では、平行状に配置された第１搬送路と第２搬送路との間をＵ字状の反転搬送手段にて接続しているので、カードの搬送方向の奥行き寸法が大きくなり装置が嵩張るという問題があった。
【０００７】
さらに、上記の特許文献１及び２では、カード処理装置の回収箱に回収されたカードを再発行する場合は、発行者が一旦回収箱から取り出したカード（価値情報としての残高０円）をカード発行装置に収納し、利用者がカード発行装置に所定の紙幣などの金銭を入れると、対応する金額データが記録媒体に記録（書き込み）されて後、カードが発行されるものであったから、別途にカード発行装置が必要となり、装置が大がかりとなり、設置場所に大きな空間が必要となると共にカードの取り扱いの手間が掛かるし、さらにコストも大幅に上昇するという問題もあった。
【０００８】
本発明は、これらの従来の課題を解決すべくなされたものであって、その第１の目的は、簡単且つコンパクトな構成のカード処理装置を提供することであり、第２の目的はカードの回収機能と再発行機能とを備えたカード処理装置を提供することである。
【課題を解決するための手段】
【０００９】
上記の目的を達成するため、本願の請求項１に記載のカード処理装置は、実質上円弧状の搬送路の一端にカード挿入兼排出口を形成し、前記搬送路の内径側に回転盤を有する搬送手段が配置され、前記カード挿入兼排出口から適宜角度だけ反転した前記搬送路の終端部にカード収納部が備えられ、前記搬送路の中途部にカード処理部が備えられ、前記カード挿入兼排出口から挿入したカードを前記搬送手段により前記カード処理部まで搬送し、前記カード処理部におけるカードの処理内容に応じて、当該カードを前記搬送手段によりカード収納部に向けて搬送するように構成したものである。
【００１０】
請求項２に記載の発明は、請求項１に記載のカード処理装置において、前記カード収納部には、前記カードを前記搬送手段に向かって押圧付勢可能で且つ収納されたカードの枚数に応じて収納空間を変更可能とするフラッパを備えたものである。
【００１１】
請求項３に記載の発明は、請求項１または２に記載のカード処理装置において、前記搬送手段は、正逆回転する駆動モータにより駆動する回転盤の片面に装着された弾性リング体と、前記搬送路の円周方向に沿って形成された円弧状の突条部とにより前記カードの厚み方向を挟持するように構成されているものである。
【００１２】
請求項４に記載の発明は、請求項２または３記載のカード処理装置において、前記カード収納部には、前記カードの有無を検知するためのセンサと、前記フラッパの回動位置とを検知するためのセンサを備えたものである。
【００１３】
請求項５に記載の発明のカード処理装置は、実質上円弧状の搬送路の一端にカード挿入兼排出口を形成し、前記搬送路の内径側に回転盤を有する搬送手段が配置され、前記カード挿入兼排出口から適宜角度だけ反転した前記搬送路の終端部にカード収納部が備えられ、前記搬送路の中途部にカード処理部が備えられ、前記カード収納部には、前記収納されたカードを前記搬送手段に向かって押圧付勢可能で且つ収納されたカードの枚数に応じて収納空間を変更可能とするフラッパが備えられ、前記カード挿入兼排出口から挿入したカードを前記搬送手段により前記カード処理部まで搬送し、前記カード処理部におけるカードの処理内容に応じて、当該カードを前記搬送手段によりカード収納部に向けて搬送する一方、前記カード収納部に収納されたカードをその処理内容に応じて、前記搬送手段を逆転させて、前記搬送路を介して前記カード挿入兼排出口から前記カードを排出可能に構成したものである。
【００１４】
請求項６に記載の発明は、請求項１ないし５のいずれかに記載のカード処理装置において、前記カード挿入兼排出口には、前記搬送路へのカードの挿入を阻止するシャッタを開閉制御可能に設けられているものである。
【００１５】
請求項７に記載の発明は、請求項１ないし６のいずれかに記載のカード処理装置において、前記カード収納部の一端部には、前記カード挿入兼排出口と実質上平行なカード取り出し口を備えたものである。
【発明の効果】
【００１６】
請求項１に記載の発明によれば、実質上円弧状の搬送路の一端にカード挿入兼排出口を形成し、前記搬送路の内径側に回転盤を有する搬送手段が配置され、前記カード挿入兼排出口から適宜角度だけ反転した前記搬送路の終端部にカード収納部が備えられ、前記搬送路の中途部にカード処理部が備えられたものであるから、カード搬送方向に沿う装置長さを短くでき、コンパクトになるという効果を奏する。また、実質上円弧状の搬送路に配置される搬送手段は、前記搬送路の内径側に回転盤を配置するものであるから、構造が簡単になり、且つ低コストにできるという効果を奏する。
【００１７】
請求項２に記載の発明によれば、請求項１に記載の発明による効果に加えて、前記カード収納部には、前記カードを前記搬送手段に向かって押圧付勢可能で且つ収納されたカードの枚数に応じて収納空間を変更可能とするフラッパを備えたものであるから、このフラッパと回転盤を有する搬送手段とにより、回収されるカードを確実にカード収納部に取り込むことができるという効果を奏する。
【００１８】
請求項３に記載の発明によれば、前記搬送手段は、正逆回転する駆動モータにより駆動する回転盤の片面に装着された弾性リング体と、前記搬送路の円周方向に沿って形成された円弧状の突条部とにより前記カードの厚み方向を挟持するように構成されているものであるから、搬送すべきカードを弾性リング体と円弧状の突条部とにより、搬送方向に沿って連続的に挟持搬送することが極めて簡単にできるという効果を奏する。
【００１９】
請求項４に記載の発明によれば、前記カード収納部には、前記カードの有無を検知するためのセンサと、前記フラッパの回動位置とを検知するためのセンサを備えたものであるので、カード収納部内のカードの有無及び満杯状態のいずれも検知できるという効果を奏する。
【００２０】
請求項５に記載の発明によれば、実質上円弧状の搬送路の一端にカード挿入兼排出口を形成し、前記搬送路の内径側に回転盤を有する搬送手段が配置され、前記カード挿入兼排出口から適宜角度だけ反転した前記搬送路の終端部にカード収納部が備えられ、前記搬送路の中途部にカード処理部が備えられ、前記カード収納部には、前記収納されたカードを前記搬送手段に向かって押圧付勢可能で且つ収納されたカードの枚数に応じて収納空間を変更可能とするフラッパが備えられ、前記カード挿入兼排出口から挿入したカードを前記搬送手段により前記カード処理部まで搬送し、前記カード処理部におけるカードの処理内容に応じて、当該カードを前記搬送手段によりカード収納部に向けて搬送する一方、前記カード収納部に収納されたカードをその処理内容に応じて、前記搬送手段を逆転させて、前記搬送路を介して前記カード挿入兼排出口から前記カードを排出可能に構成したので、１つのカード処理装置だけで、カード価値情報が零のカードの回収と、その回収したカードを利用して、カード価値情報を有価に書き込んだ再発行することの２つの機能を持たせることができ、装置全体をコンパクトにできるという効果を奏する。
【００２１】
請求項６に記載の発明によれば、請求項項１ないし５のいずれかに記載の発明による効果に加えて、前記カード挿入兼排出口には、前記搬送路へのカードの挿入を阻止するシャッタを開閉制御可能に設けられているものであるから、後続するカードを挿入することが阻止でき、カード処理部において１枚ずつのカード処理を確実に実行することができる。      
【００２２】
請求項７に記載の発明によれば、前記カード収納部の一端部には、前記カード挿入兼排出口と実質上平行なカード取り出し口を備えたものであるから、利用者に対するカードの出し入れと、管理者側によるカードの回収補充作業を同じ方向から実行することができるという効果を奏する。
【発明を実施するための最良の形態】
【００２３】
次に、本発明を具体化した実施形態について図面を参照しながら説明する。図１はカード処理装置の斜視図、図２はカバー体を外した状態の正面図、図３は裏面図、図４は図２のIV−IV線矢視断面図、図５は図３のＶ−Ｖ線矢視断面図、図６は図２のVI−VI線矢視断面図、図７（ａ）〜図７（ｄ）はカード回収動作を示す動作説明図、図８（ａ）〜図８（ｄ）はカード再発行動作を示す動作説明図、図９は制御機能ブロック図、図１０はカード回収時の制御のフローチャート、図１１はカード再発行時の制御のフローチャートである。
【００２４】
本発明のカード処理装置１は、１つの実施形態としての非接触型のＩＣカード（プラスチック製カードにＩＣチップとアンテナ部等を埋め込んでなるもの）を処理するものである。本発明では、磁気カードにも適用可能であるので、これら処理されるものを、以下、単にカード５と称する。
【００２５】
カード処理装置１は、合成樹脂材を射出成形したベース体２とその表面を覆うようにビス止めされたカバー体３とを有する。ベース体２の表面側には、正面視で実質上円弧状の外周縁４ａを備えた搬送路板４が段落ち状にて形成されている（図１、図６参照）。そして、ベース体２及びカバー体３の一側縁（実施形態では図２で右端の上部寄り）には、段落ち状の搬送路板４と、正面視でＬ字状の区切り部１３とカバー体３とで囲まれた部位がカード挿入兼排出口８（以下単に挿入兼排出口という）として形成され、挿入兼排出口８に連通するカバー体３と搬送路板４との間の隙間が、カード５が通過し得る搬送路６となる。
【００２６】
挿入兼排出口８を塞ぐようにバネ１６にて付勢されたシャッタ１４は断面Ｌ字状に形成され、ベース体２の裏面側に配置したアクチュエータ手段である電磁ソレノイド１５の励磁動作により、シャッタ１４はバネ１６力に抗して挿入兼排出口８から後退して開き、カード５の挿入可能状態となる。
【００２７】
搬送路６の内径側には、回転盤９を有する搬送手段７が配置されている。回転盤９の内面側における外周部には環状溝９ａが形成されており、この環状溝９ａには、ゴム等の高摩擦係数を有するＯリング１０が取付けられる。Ｏリング１０の最外周縁は、回転盤９の最外周縁よりも若干外周寄りに位置している。弾性リング体としてのＯリング１０は搬送路板４と対峙している。
【００２８】
搬送路板４の中途部には、Ｏリング１０の配置位置と対応するように、適宜長さの円弧状の２列の突条部２６が設けられている（図２参照）。この半径内寄りと半径外寄りの円弧状の平行２列に並ぶ突条部２６はＯリング１０の環状部を挟むよう配置され（図６参照）、突条部２６とＯリング１０とで挟持されたカード５が確実搬送されるよう構成されている。突条部２６の始端は、挿入兼排出口８から挿入したカード５の長さの略半分程度の位置である。そして、突条部２６の全円弧長さは、開口部２２に接近する方向に中心角略９０°程度に設定されている（図２及び図３参照）。なお、各突条部２６の前後端部はカード５の誘い込みのために傾斜面を有している。
【００２９】
回転盤９の支持軸１１の一端はカバー体３に樹脂製の軸受１２ａを介して軸支され（図２参照）、支持軸１１の他端部はベース体２の裏面側に膨出形成された袋部１７の裏面板１７ａに樹脂製の軸受１２ｂを介して軸支されている（図３参照）。
【００３０】
ベース体２の裏面に装着された第１駆動モータ１９の出力軸に固定された傘歯車２０ａと、支持軸１１に固着されたベベルギヤ２０ｂとは袋部１７内にて噛合うように配置されている（図３参照）。第１駆動モータ１９は正逆回転可能な減速歯車機構付きのＤＣモータである。
【００３１】
カード挿入兼排出口８から適宜角度（実施形態では１８０°）反転した搬送路６の終端部（図２では、回転盤９の配置位置より下部右寄り部位）に、複数枚のカード５を収納できるカード収納部２１が備えられている。このカード収納部２１は、ベース体２における搬送路板４（搬送路６）に連通するように切欠きした開口部２２と、この開口部２２に開閉可能に配置されたフラッパ２３と、カバー体３とにより区画形成されているものであり、実施形態では、カード収納部２１には、１０枚程度のカード５その広幅面方向に堆積させて収容できる（図１、図２及び図５参照）。
【００３２】
合成樹脂製等のフラッパ２３の基端部は支軸２４を介してベース体２に支軸され、フラッパ２３における表面の自由端（先端）側がカバー体３の内面に対して接離するように開閉回動可能に設けられている。支軸２４に被嵌する捩じりばね２５を介して、フラッパ２３はその自由端側が常時カバー体３の内面に向かう方向に付勢されている（図２〜図５参照）。
【００３３】
上記フラッパ２３を開閉するための作動手段は、フラッパ２３の自由端側に連結する作動アーム３１と、この作動アーム３１を揺動させるためのアクチュエータとしての第２駆動モータ３２とを備える（図３〜図５参照）。ベース体２の裏面側にて、作動アーム３１の中途部は支軸３３を介して回動可能に配置されている。作動アーム３１の先端側に固着された連結ピン３４は、フラッパ２３の裏面側のリブに形成された長孔３５に摺動可能に嵌挿されている。正逆回転可能な減速歯車機構付きのＤＣモータである第２駆動モータ３２の出力軸に取付られた偏心軸３６は、作動アーム３１の他端部３１ａに当接可能に配置されている（図３〜図５参照）。
【００３４】
第２駆動モータ３２は図４において矢印Ａ方向と矢印Ｂ方向とにほぼ１８０°程度正逆回動するものであり、図４において矢印Ｂ方向に第２駆動モータ３２が回動して、偏心軸３６が作動アーム３１の他端部３１ａから離間している状態では、捩じりばね２５の付勢力により、フラッパ２３の先端側の表面がカバー体３の裏面に接近している状態（この状態を以下、閉状態という）となり、作動アーム３１の先端側（連結ピン３４側）もカバー体３の裏面に接近している。
【００３５】
第２駆動モータ３２が図５において矢印Ａ方向に回動し、偏心軸３６にて作動アーム３１の他端部３１ａを押すと、作動アーム３１が回動して、その先端側（連結ピン３４側）もカバー体３の裏面から離間する。この動きに応じて、捩じりばね２５の付勢力に抗してフラッパ２３は、その先端側の表面がカバー体３の裏面から離間するように回動するのである（以下、この状態を開き状態という）。
【００３６】
ベース体２の裏面に回動可能に設けられた検査アーム３７は、第２駆動モータ３２が回動しているか否かを検知するためのものであり、第２駆動モータ３２の正逆回動に応じて揺動移動する偏心軸３６が、検査アーム３７の先端側のガイド長孔３７ａに摺動自在に嵌まっている（図４及び図５の二点鎖線参照）。
【００３７】
搬送路６の中途部である搬送路板４の裏面側には、カード処理部としてのアンテナ部４２が備えられている（図１〜図３、図６〜図８参照）。このアンテナ部４２はカード５がＩＣカードである場合、そのＩＣチップ（図示せず）に、店舗情報や価値情報を書き込み（記録）したり、それらの情報を読取るためのものであり、搬送路板４の裏面側にアンテナ部４２に対する制御基板４３も配置されている（図３参照）。磁気カードの場合には、カード５の広幅面の所定の磁気記録部に摺接できるカード処理部を配置すれば良い。
【００３８】
カード５の位置を検知し、その検知結果に応じてカード処理装置１を作動するために、ベース体２とカバー体３との間に赤外線等の光が通過するように、発光素子と受光素子とを分離して配置する遮光センサが複数位置に配置されている。図２及び図３に示すように、第１遮光センサ４４、第２遮光センサ４５、第３遮光センサ４６は、搬送路６内に位置するカード５を検知するもので、第１遮光センサ４４の検知部４４ａはカード挿入兼排出口８の近傍に配置されている。第２遮光センサ４５の検知部４５ａは、図２のようにカード処理装置１の正面視において、アンテナ部４２を挟んで第１遮光センサ４４と反対側に配置されている。第３遮光センサ４６の検知部４６ａは第２遮光センサ４５より下方であって、開口部２２の近傍に配置されている。第４遮光センサ４７の検知部４７ａは、カード収容部２１にカード５が存在するか否かを判別するためのものであり、フラッパ２３の切欠き部２３を挟むように配置されている。
【００３９】
なお、カバー体３の表面側に基端がネジ止めされたカード補助押え体４８は弾性を有する合成樹脂材料からなり、カード補助押え体４８の先端部である押え部４８ａは、カバー体３に穿設された孔４９から、フラッパ２３の表面先端側に接近するように配置されている（図２及び図４参照）。
【００４０】
図９は、本発明のカード処理装置１を制御するための制御手段の機能ブロック図である。マイクロコンピュータや電子回路などからなる制御用のコントローラ５０は、制御バスを介して上述のアンテナ部４２に対する制御基板４３及びカード５の購入や金銭額データ等の書き換えのための外部コントローラ５１に接続する一方、コントローラ５０の入力部には、第１フォトインタラプタ４０、第２フォトインタラプタ４１、第１遮光センサ４４、第２遮光センサ４５、第３遮光センサ４６、第４遮光センサ４７が接続されている。他方、コントローラ５０の出力部には、シャッタ１４を開閉作動させるための電磁ソレノイド１５、第１駆動モータ１９の駆動回路５２、第２駆動モータ３２の駆動回路５３などが接続されている。
【００４１】
コントローラ５０では、第１、第２フォトインタラプタ４０，４１の遮光及び透光の状態、ならびにその状態の組み合わせに応じて、以下のような判別をする。第２駆動モータ３２の正逆回動に応じて検査アーム３７が揺動するとき、即ち、検査アーム３７の先端側に突出する遮断片３７ｂが、ベース体２に設けた第１フォトインタラプタ４０における発光素子と受光素子との間を間欠的に遮るときは、第２駆動モータ３２が作動（駆動）しているものと判別する。逆に、第２駆動モータ３２に駆動出力を印加しているのに、遮断片３７ｂが発光素子と受光素子との間に静止しているとき（遮光しているとき）、または発光素子からの光が受光素子で受光した状態を保持しているときには、第２駆動モータ３２が回動していない（第２駆動モータ３２が故障している）と判別する。
【００４２】
他方、作動アーム３１の他端部３１ａにて突出する遮断片３１ｂが、ベース体２に設けた第２フォトインタラプタ４１における赤外線等の発光素子と受光素子との間を遮る状態のときは、フラッパ２３が閉状態であると判別し、遮断片３１ｂが発光素子と受光素子との間から外れ、受光状態のときには、フラッパ２３が開状態であると判別する。
【００４３】
なお、第１及び第２フォトインタラプタ４０、４１の両方が同時に遮光状態のときには、フラッパ２３は開き状態であると判別される。第１フォトインタラプタ４０が透光状態で、且つ第２フォトインタラプタ４１が遮光状態のときには、カード収納部２１内にカード５が所定枚数が入った満杯状態であると判別される。第１及び第２フォトインタラプタ４０、４１の両方が同時に透光状態のときには、フラッパ２３は閉じ状態であると判別される。
【００４４】
次に、図７（ａ）〜図７（ｄ）及び図１０のフローチャートを参照しながら、カード５の回収作業時の制御態様について説明する。カード処理装置１が待機状態のときには、シャッタ１４は開き状態に保持されている（Ｓ１）。この状態ではフラッパ２３は開状態、つまり、第２駆動モータ３２が図５のように、矢印Ａ方向に回動し、作動アーム３１を介してフラッパ２３の先端側をカバー体３から離した位置（姿勢）で保持される。利用者が挿入兼排出口８からカード５を挿入すると、第１遮光センサ４４の検知部４４ａにて遮光されてカード挿入を確認し（Ｓ２）、第１駆動モータ１９が正回転し、回転盤９は図７（ａ）において反時計回りに回転する。利用者がカード５をその長さ寸法の略半分程度を押し込むと、カード５はその厚さ方向において、突条部２６とＯリング１０とにより挟持されるので、回転盤９の回転につれてカード５が円弧状の搬送路６に沿って搬送される（Ｓ３）。カード５の先端部が第２遮光センサ４５の検知部４５ａに位置して遮光すると、カード処理部（アンテナ部４２と対峙する位置）の位置にカード５を保持するため、第１駆動モータ１９が停止する（Ｓ４）。次いで、電磁ソレノイド１５が非励磁となり、シャッタ１４が閉じるので（Ｓ５）、後続してカード５が挿入できないように阻止する。この停止したカード５に対してアンテナ部４２が対峙し（図７（ｂ）参照）、カード５におけるＩＣチップに記録されている情報を読取る（Ｓ６）。
【００４５】
上記の情報に基づいてカード処理を実行する。例えば、パチンコ店でのパチンコ台等の遊技機器の遊技球を出力するためのカード５についてカード処理を説明すると、前記カード５に記録された店情報データ（ＩＤデータ）を検知し、挿入されたカード５が不正な場合や、系列外店のＩＤデータである、つまり正規カードでないと判別すると（Ｓ７：no）、直ちに、シャッタ１４を開き（Ｓ８）、第１駆動モータ１９を逆回転させて、カード５を挿入兼排出口８から排出する（Ｓ９）。
【００４６】
正規カードであると判別すると（Ｓ７：yes ）、次に、カード５に記録されている残存する金額データを読取る（Ｓ１０）。残存する金額データが０円でなければ（Ｓ１０：no）、遊技機器の作動を許可する（Ｓ１１）。これにより、利用者は、例えば、遊技機器の側方などに備えられた遊技球出力ボタン等を押して、遊技球を出すことができる。なお、カード処理位置（アンテナ部４２）にカード５が停止しいる間に、図示しない金銭納入装置に紙幣などを差し込む（納金）すると、その分の金額だけ、カード５に記録されている残存する金額データを増額する（加算する）ようにカード処理することができる。
【００４７】
残存する金額データが０円であれば（Ｓ１０：yes ）、第１駆動モータ１９を正回転させて、カード５をカード収納部２１に向かって搬送する（Ｓ１２）。この場合、カード５の先端部が第３遮光センサ４６の検知部４６ａに位置して遮光すると（Ｓ１３）（図７（ｃ）参照）、フラッパ２３を閉状態にする（Ｓ１４）ため、第２駆動モータ３２を図４の矢印Ｂ方向に回動させる。なお、この場合、カード補助押え体４８の先端から突出してカバー体３に穿設された孔４９から臨む傾斜状の押え部４８ａがフラッパ２３の表面に当接しているので、この押え部４８ａに沿ってカード５はフラッパ２３の表面に沿って滑り込むことができる。
【００４８】
次いで、第１駆動モータ１９をさらに正回転させることにより、カード５はフラッパ２３とカバー体の裏面とで挟持された状態でカード収納部２１に収納されることになる。そして、図７（ｄ）に示すように、カード５の中途部が第４遮光センサ４７の検知部４７ａに位置して遮光すると、カード５はカード収納部２１に完全に取り込まれたものと判別される（Ｓ１５）。このようにして、価値情報零円のカード５は利用者に返還されずに、確実にカード収納部２１に回収できるのである。
【００４９】
なお、上述のように、カード収納部２１内にカード５が所定枚数が入った満杯状態であると判別されると、外部コントローラ５１に所定の信号を出力するので、その信号または報知音に従い、係員がカード収納部２１の前端側のカード取り出し口５４を塞いでいる扉５５（図７（ａ）〜図７（ｄ）参照）を開き、適宜枚数のカード５を回収するのである。
【００５０】
カード取り出し口５４を挿入兼排出口８と実質上平行になるように、ベース体２の一側に形成することで、利用者も係員も遊技機器の同じ側から操作でき、カード処理装置１の配置のための必要空間をコンパクトにできるという効果を有する。
【００５１】
次に、図１１のフローチャートと図８（ａ）〜図８（ｄ）を参照しながら、上記カード処理装置１を利用して、カード収納部２１内に回収収納されたカード５（価値情報０円）に適宜の価値情報を書き込んで（記録）後、遊技機器を利用したり、挿入兼排出口８から取り出すという再発行動作について説明する。
【００５２】
スタートに続き、カード収納部２１内に価値情報０円のカード５が収納されていることを確認する（Ｓ２１）（図８（ａ）の状態参照）。もし、カード５がなければ（Ｓ２１：no）、外部に報知し（Ｓ２２）、カード５をカード収納部２１内に補充する（Ｓ２３）。      
【００５３】
次いで、利用者が図示しない紙幣もしくは硬貨投入口から金銭を納入したときの金額を確認する（Ｓ２４）。これにより、第２駆動モータ３２が作動し、前述のように、フラッパ２３は閉じ状態となり（Ｓ２５）、フラッパ２３とカバー体３との間にカード５が挟持される。
【００５４】
次いで、第１駆動モータ１９を逆回転させて、回転盤９を図８（ａ）で時計回りに回転させて、カード５を搬送路６に逆送する（Ｓ２６）。次いで、図８（ｂ）に示すように、カード５の先端縁部が第２遮光センサ４５の検知部４５ａに位置して遮光すると（Ｓ２７）、第２駆動モータ３２が作動し、フラッパ２３を開き状態に保持する。さらに、回転盤９を図８（ｃ）で時計回りに回転させて、カード５の後端縁部が第２遮光センサ４５の検知部４５ａを通過して透光すると、第１駆動モータ１９を一旦停止させ、カード処理部でカード５を一旦停止させる（Ｓ２８）。これにより、カード５はアンテナ部４２と対峙するので、ここで、カード情報の例えば店情報のＩＤデータを読み取って正規カードであること確認した後、入金された価値情報（金額情報）をそのカード５に書き込む（Ｓ２９）。この状態で、利用者が遊技機器を使用したいときには、図示しない利用ボタンを押す（Ｓ３０）ことにより、所定の金額情報が減算される（Ｓ３１）。
【００５５】
例えば、現状のパチンコ機では、１回の利用ボタンを押す毎に、所定金額のデータが減算される。もし、入金された価値情報分を全て利用者が使い切り、価値情報零円となった場合（Ｓ３２：yes ）、そのカード５の処理は、図１０のステップＳ１２以下のフローに戻り、カード５はカード収納部２１に回収され、利用者に返還されないのである。
【００５６】
利用者が遊技機器の使用をやめる等のため、価値情報（金額情報）が零でないカード５を利用者に返却するには、価値情報（金額情報）が零でないことを確認（アンテナ部４２で読み取り）した（Ｓ３２：no）のち、カード返却ボタンを押すと（Ｓ３３）、シャッタ１４を開き（Ｓ３４）、回転盤９を図８（ｄ）で示すように時計回りに回転させて、カード５を挿入兼排出口８へ排出するのである（Ｓ３５）。
【００５７】
利用者がカード５を挿入兼排出口８から抜き出したことを、第１遮光センサ４４の検知部４４ａの透光状態で判別すると、再び、シャッタ１４を閉じるように、電磁ソレノイド１５は非励磁されるのである。
【００５８】
従って、カード収納部２１に回収収納された価値情報０円のカード５を、利用者による金銭納入に応じて、有額価値情報が書き込まれた（記録された）カード５として、再発行するカード発行装置としても利用できることになり、カード処理装置が非常にコンパクト且つ構造も簡単になるという顕著な効果を奏する。
【００５９】
上述のように、本発明のカード処理装置１は実質上円弧状の搬送路６を有し、その内径側には、Ｏリング１０が取付けられた回転盤９の回転により、挿入兼排出口８から挿入されたカード５を取り込んで、カード５の面と平行な円弧状の搬送路６に沿って搬送し、１８０°などの適宜角度だけ隔てた位置にあるカード収納部２１にカード５を収納できるので、搬送路６が短くできる。従って、カード処理装置の奥行き寸法（カード５の挿入方向に沿う長さ）が短く、コンパクトにできる。搬送路６に設ける搬送手段７は、Ｏリング１０が取付けられた回転盤９だけの１つの回転体であるので、アクチュエータである第１駆動モータ１９も１つで済み、部品点数が少ないから、低コストとなる。
【００６０】
カード収納部２１は開口部２２に対する開閉回動するフラッパ２３であるので、カード収納部２１に取り込まれたカード５の姿勢も安定し、さらに、挿入兼排出口８の開口方向と同じ方向にカード５を装置外に取り出すことが簡単にできるという効果も奏する。
【００６１】
カード収納部２１内のフラッパ２３は、カードを回転盤９に向かって押圧付勢可能で且つ収納されたカード５の枚数に応じて収納空間を変更可能とするものであるから、カード収納部２１内へのカード５の取り込み（回収収納）作業が確実に実行できるという効果を奏する。
【００６２】
本発明は、ＩＣカードや磁気カード等の価値情報が記録されたカードであっても、価値情報が零になったものを回収できると共に、価値情報を再度書き込んで再発行することもコンパクトな構成のカード処理装置で可能となる。
【図面の簡単な説明】
【００６３】
【図１】カード処理装置の正面側から見た斜視図である。
【図２】カード処理装置の正面図である。
【図３】裏面図である。
【図４】図２のIV−IV線矢視断面図である。
【図５】図３のＶ−Ｖ線矢視断面図である。
【図６】図２のVI−VI線矢視断面図である。
【図７】（ａ）〜（ｄ）はカード取り込み作業の説明図である。
【図８】（ａ）〜（ｄ）はカード再発行作業の説明図である。
【図９】制御装置の機能ブロック図である。
【図１０】カード取り込み作業のフローチャートである。
【図１１】カード再発行作業のフローチャートである。
【符号の説明】
【００６４】
１    カード処理装置。
【００６５】
２    ベース体
３    カバー体
４    搬送路板
５    カード
６    搬送路
７    搬送手段
８    挿入兼排出口
９    回転盤
１０    弾性リング体としてのＯリング
１４    シャッタ
１９    第１駆動モータ
２１    カード収納部
２３    フラッパ
２５    ねじりばね
３１    作動アーム
３２    第２駆動モータ
３７    検査アーム
４０    第１フォトインタラプタ
４１    第２フォトインタラプタ
４２    カード処理部としてのアンテナ部
４４〜４７    遮光センサ
【図１】
2007079682.tif 000003
【図２】
2007079682.tif 000004
【図３】
2007079682.tif 000005
【図４】
2007079682.tif 000006
【図５】
2007079682.tif 000007
【図６】
2007079682.tif 000008
【図７】
2007079682.tif 000009
【図８】
2007079682.tif 000010
【図９】
2007079682.tif 000011
【図１０】
2007079682.tif 000012
【図１１】
2007079682.tif 000013